(57)【要約】      （修正有）【課題】製造容易な簡単な構造でもって、防眩性と自己修復性（ワイヤブラシ等で傷がつかない）とを備えることのできる表面基材を提供する。【解決手段】合成樹脂フィルム１の裏面に、シリコーン樹脂層２が備えられ、前記合成樹脂フィルム１の表面に自己修復性を有する実質的に透明な軟質樹脂層４が備えられ、前記軟質樹脂層４の表面４Ａに凹凸４Ｃを固定的に形成して防眩性を付与するように所定のパターンの凹凸５Ｂが形成され、前記軟質樹脂層４の単一層に防眩性と自己修復性とが付与されている。【選択図】図２
0003144841.tif 000002
【実用新案登録請求の範囲】
【請求項１】
防眩性と自己修復性とを備えた表面基材であって、
実質的に透明な合成樹脂フィルム１の裏面１Ａに、実質的に透明なシリコーン樹脂層２が備えられ、
前記シリコーン樹脂層２の裏面２Ａに保護フィルム３が備えられ、
前記合成樹脂フィルム１の表面１Ａに自己修復性を有する実質的に透明な軟質樹脂層４が備えられ、
該軟質樹脂層４の表面４Ａにフィルム状のマット５が備えられ、
該マット５の裏面５Ａには、前記軟質樹脂層４の表面４Ａに凹凸４Ｃを固定的に形成して防眩性を付与するように所定のパターンの凹凸５Ｂが形成され、
該軟質樹脂層４の表面４Ａに所定のパターンの凹凸４Ｃが固定的に形成されて防眩性が付与されていることで、前記軟質樹脂層４の単一層が防眩性と自己修復性とを兼ね備えるように構成されている
ことを特徴とする防眩性と自己修復性とを備えた表面基材。
【請求項２】
前記軟質樹脂層４が、ウレタン系樹脂とシリコーン樹脂との均一な高分子で構成されていることを特徴とする請求項１の防眩性と自己修復性とを備えた表面基材。
【請求項３】
前記軟質樹脂層４が熱硬化性樹脂を含むことを特徴とする請求項１又は請求項２の防眩性と自己修復性とを備えた表面基材。
【考案の詳細な説明】
【技術分野】
【０００１】  本考案は、例えば、携帯電話の液晶ディスプレイ等の前面に貼り付けて用いるところの防眩性と自己修復性とを備えた表面基材に関するものである。
【背景技術】
【０００２】  従来、例えば、携帯電話の液晶ディスプレイ等の画面を保護する表面材としては、ガラス板や、表面にハードコート層を形成した樹脂板が一般的である。
その他には、透明のフィルムも用いられており、これにより、液晶ディスプレイの画面が直接に汚れたり、傷ついたりするのを防止していた。
こうしたフィルムには、感圧性の粘着剤が塗布され、フィルム自体の損傷に応じた取り換え等、ユーザーが必要に応じて着脱して用いることができる。【０００３】  しかし、このような樹脂板、フィルムは、二つの問題がある。
一つは、損傷防止材としての機能は有するものの、それ自体の損傷については修復不能であり、従って、損傷が頻繁に起きると、樹脂板、フィルム自体の透明性が損なわれ、液晶ディスプレイの画面が見難くなり、新しいフィルムに取り換える必要がある。
もう一つは、透明な樹脂板、フィルムは防眩性がなく、所定の角度の視覚に対する反射により、液晶ディスプレイが見難くなる点である。【０００４】  こうした問題を解消するべく、防眩性と自己修復性とを備えた表面基材が提案されている。
即ち、例えばフィルムに付けられた損傷が自動的に修復され、また、防眩性をも備えている表面材である。
このような技術としては、例えば、次の文献を挙げることができる。
【特許文献１】特開２００７−２０７０９１。
【特許文献２】特開２００３−２９６００８。
【考案の開示】
【考案が解決しようとする課題】
【０００５】  上述の特許文献１に記載の防眩性と自己修復性とを備えた表面材は、樹脂フィルムよりなる基材上に自己修復性を有する軟質樹脂層を設け、その上に防眩層を設けたペン入力装置用表面材であって、前記軟質樹脂層の厚さは５〜１００μｍ及び防眩層の厚さは０．２〜１０μｍであると共に、ガラス板上に軟質樹脂層形成用硬化性組成物を塗布、硬化して形成した厚さ３００μｍの硬化塗膜とそれと同一条件で形成した防眩層形成用硬化性組成物の硬化塗膜を、超微小硬さ試験装置により２０℃、５０％相対湿度の雰囲気下で測定したときのマルテンス硬度の比（軟質樹脂層形成用硬化性組成物の硬化塗膜に対する防眩層形成用硬化性組成物の硬化塗膜の比）が０．１〜１０であり、かつヘイズ値が０．５〜４０％である。【０００６】  この表面材は、防眩性を含み視認性に優れると共に、ペン入力時の筆記感が良く、かつ耐久性に優れるという利点がある。
しかし、上述のように、基材の上に自己修復性を有する軟質樹脂層と、その上に設けた防眩層とを別個に形成しなければならないものであった。
従って、このように２層構造とする分、製作工程も多くなり、厚みも大きくなり、特に、防眩層と軟質樹脂層との相容性に鑑みた素材の選択が必要となる問題もあった。【０００７】  本考案は、かかる問題に鑑みて、製造容易な簡単な構造でもって、防眩性と自己修復性（ワイヤブラシ等で傷がつかない）とを備えることのできる表面基材を提供することを目的とする。
【課題を解決するための手段】
【０００８】  ここで、先ず、自己修復性とは、軟質であるためにワイヤブラシ、爪、ボールペンなどの接当（例えば携帯電話の液晶画面に使用された場合）により、その表面基材の表面に一旦へこみが発生するが、そのへこみが復元して元に戻る性質をいう。
また、防眩性とは、表面が眩しく光ってその下層が見え難くなるのを防ぎ、視認性を確保できる特性をいう。
そして、実質的に透明であるとは、完全な透明は勿論であるが、視認性が阻害されない程度の着色された透明性も含むことを言う。【０００９】  本考案にかかる防眩性と自己修復性とを備えた表面基材は、上記目的を達成するために、防眩性と自己修復性とを備えた表面基材であって、
実質的に透明な合成樹脂フィルム１の裏面１Ａに、実質的に透明なシリコーン樹脂層２が備えられ、
前記シリコーン樹脂層２の裏面２Ａに保護フィルム３が備えられ、
前記合成樹脂フィルム１の表面１Ａに自己修復性を有する実質的に透明な軟質樹脂層４が備えられ、
該軟質樹脂層４の表面４Ａにフィルム状のマット５が備えられ、
該マット５の裏面５Ａには、前記軟質樹脂層４の表面４Ａに凹凸４Ｃを固定的に形成して防眩性を付与するように所定のパターンの凹凸５Ｂが形成され、
該軟質樹脂層４の表面４Ａに所定のパターンの凹凸４Ｃが固定的に形成されて防眩性が付与されていることで、前記軟質樹脂層４の単一層が防眩性と自己修復性とを兼ね備えるように構成されている
ことを特徴とする。
【考案の効果】
【００１０】  本考案にかかる防眩性と自己修復性とを備えた表面基材によれば、製造が容易（１工程の塗布）である一層の軟質樹脂層２でもって、防眩性と自己修復性（ワイヤブラシ等で傷がつかない）とを備えることができる。このように、製造が容易（１工程の塗布）である一層の軟質樹脂層でもって、防眩性と自己修復性（ワイヤブラシ等で傷がつかない）とを備えることができて、製造コストを低減することができるとともにその長期の使用に際して２層間で剥離を来たす虞もないのである。【００１１】  そして、基材とその各面の軟質樹脂層とシリコーン樹脂層（対象物への接機能）というシンプルなものとなっているので、全体としても、例えば、１３０ミクロン程度の薄いものとすることができ、使用において嵩張る虞はないもので、用途が広がる。
また、このように薄いものであるので、シリコーン樹脂層に埃などの小さな異物が付着しても、エア−が入りにくいものである。
これに対し、従来の防眩性と自己修復性とを個別の素材で、かつ２層で構成し、もって、防眩性を付与していた場合には、コストがかかることになる。また、２層構造に起因する光の直進性が阻害されて見難い虞も多々あるが、こうした問題も解消されるのである。【００１２】  更に、保護フィルムの存在によって、シリコーン樹脂層が搬送途中、販売途中において他物に粘着する虞がなく、その対象物に粘着させるときに剥離すればよいのである。
同様に、マットで軟質樹脂層を被服しておくことで、軟質樹脂層に対する搬送途中、販売途中において他物接触による破損も未然に回避できる保護機能を発揮させることができ、同時に、そのマットの凹凸よる前記軟質樹脂層の表面に対する凹凸の形成、即ち、防眩性の付与も兼ねることになるので便利であり、使用時にマットを剥離さえすれば用が足りる。
【考案を実施するための最良の形態】
【００１３】  更に、本考案の形態としては、前記軟質樹脂層４が、ウレタン系樹脂とシリコーン樹脂との均一な高分子で構成されていることが好ましい。
これによって、軟質樹脂層４が単層として用い得るものでありながら、良好な防眩性と自己修復性とを発揮することができる。【００１４】  また、前記軟質樹脂層４が、ウレタン系樹脂とシリコーン樹脂とが、重量比で、５０〜９０対５０〜１０で混合されたものであることが好ましい。
このような素材の混合比率によって、前記軟質樹脂層４に対して、自己修復性を付与し、安価に提供することができた。【００１５】  更に、前記軟質樹脂層４が熱硬化性樹脂を含むことが好ましい。
これによって、凹凸５Ｂを付与したマット５を前記軟質樹脂層４の表面に対して所定の圧力下で加熱するだけの簡単な工程でもって防眩性を付与できる。【００１６】  また、前記軟質樹脂層４がＵＶ硬化性樹脂を含むことが好ましい。
これによって、これによって、凹凸５Ｂを付与したマット５を前記軟質樹脂層４の表面に対して所定の圧力下でＵＶ光線の照射だけの簡単な工程でもって防眩性を付与できる。
【実施例】
【００１７】  以下、本考案にかかる防眩性と自己修復性とを備えた表面基材の好適実施例について、図面を参照して詳述する。ここでは、この表面機材を、使用対象物（携帯電話の液晶画面）１０に対して貼付して使用されているときの製品の構造として説明する。【００１８】  図１は、この表面機材の概念図としての縦断面図であって、厚みなどが誇張されて描かれている。
この防眩性と自己修復性とを備えた表面基材は、実質的に透明な合成樹脂フィルム１の裏面１Ａに、実質的に透明なシリコーン樹脂層２が備えられ、該シリコーン樹脂層２の裏面２Ａに保護フィルム３が備えられ、前記合成樹脂フィルム１の表面１Ｂに自己修復性を有する実質的に透明な軟質樹脂層４が備えられ、前記軟質樹脂層４の表面４Ａに凹凸４Ｃを固定的に形成して防眩性を付与するようにし、前記軟質樹脂層４の単一層が防眩性と自己修復性とを兼ね備えるように構成されている。【００１９】  上述の合成樹脂フィルム１（ポリエチレンテレフタレートフィルム）としては、ここでは、５０ミクロンの厚みのものが用いられている。
そして、上記シリコーン樹脂層２としては、ここでは、合成樹脂フィルム１の下面に５０ミクロンの厚みに塗布（ロール）されている。【００２０】  上記の軟質樹脂層４としては、ここでは、熱硬化性のウレタン系樹脂とシリコーン樹脂との均一な高分子で構成されている。
前記軟質樹脂層４は、ウレタン系樹脂とシリコーン樹脂とが、重量比で、７０対３０で混合され、硬化剤によって化学的に架橋されたものである。
ここでは、これらウレタン系樹脂とシリコーン樹脂の両樹脂の混合割合は、重量比で、７０対３０とされているが、しかし、両者の混合割合は、重量比で、５０〜９０対５０〜１０の範囲内であれば、適宜変更してもよい。そして、ここでは、軟質樹脂層４の厚みは、３０ミクロンとされている。
尚、上記熱硬化性樹脂のウレタン系樹脂に代えて既存のＵＶ硬化樹脂を置換することも可能である。
図２は、後述するマット５を一部剥離した状態の拡大図である。【００２１】  次に、図３は、本考案にかかる防眩性と自己修復性とを備えた表面基材を、使用対象物（携帯電話の液晶画面）１０に貼付するまえ、即ち、搬送、販売の状態における実施状態を示す。
即ち、実質的に透明な合成樹脂フィルム１の裏面１Ａに、実質的に透明なシリコーン樹脂層２が備えられ、前記合成樹脂フィルム１の表面１Ａに自己修復性を有する実質的に透明な軟質樹脂層４が備えられ、該軟質樹脂層４の表面４Ａに所定のパターンの凹凸４Ｃ（高低差２〜１０ミクロン）が固定的に形成されて防眩性が付与されていることで、前記軟質樹脂層４の単一層が防眩性と自己修復性とを兼ね備えるように構成され、且つ、次の構成が付加されている。【００２２】  まず、前記シリコーン樹脂層２の裏面２Ａに保護フィルム３が備えられ、そして、該軟質樹脂層４の表面４Ａにフィルム状のマット５が備えられおり、該マット５の裏面５Ａには、前記軟質樹脂層４の表面４Ａに凹凸４Ｃを固定的に形成して防眩性を付与するように所定のパターンの凹凸５Ｂが形成され、前記軟質樹脂層４の単一層に防眩性と自己修復性とを付与するように構成されている、【００２３】  上記保護フィルム３としては、上記シリコーン樹脂層２に対して離型自在の合成樹脂フィルム、例えば、ここでは、ＰＥＴが用いられている。勿論、この他の離型可能の素材であれば、適宜の合成樹脂フィルムを用いてよい。
上記マット５としては、離型自在の合成樹脂フィルム、例えば、ここでは、ＰＥが用いられている。このマット５の少なくとも裏面５Ａには、この実施例では、このマット５自体が、別の加工工程において、加圧、加熱によって、エンボス加工（或いはサンドブラスト、エッチング加工でも可能）が施され、その表面に所定のパターン、例えば、実施例のような梨地の凹凸５Ｂ（高低差１ミクロン乃至１０ミクロン）が形成されている。【００２４】  したがって、このマット５を上記の軟質樹脂層４の表面４Ａに乗せて加圧して表面基材を形成すると、その軟質樹脂層４の硬化と共にその表面４Ａに梨地の凹凸４Ｃ（高低差１ミクロン乃至１０ミクロン）が形成され、これにより、使用対象物１０に貼着して使用する際に、マット５を剥離すると、光を乱反射乃至凹凸内で干渉させることができて、結果として軟質樹脂層４に防眩性を付与できるのである。【００２５】  このような構成であるので、上述の搬送、販売過程の表面基材から、保護フィルム３が剥離されて使用対象物１０（携帯電話の液晶画面）に貼着され、また、上記マット５も、軟質樹脂層４の表面４Ａに所定のパターン（梨地）の凹凸４Ｃ（高低差１ミクロン乃至１０ミクロン）が形成された状態で、前記軟質樹脂層４から剥離されて使用されるのである。
【産業上の利用可能性】
【００２６】  本考案の表面基材は、携帯電話の液晶画面、或いは、パソコン、他の画面を必要とする電子機器に対して、保護フィルムとしての機能を十分に発揮しながら、簡単な単層による防眩性と自己修復性を備える構造であることで、表面損傷が懸念される種々の電子機器の画面などに適用可能である。
【図面の簡単な説明】
【００２７】
【図１】本考案にかかる表面基材の構造を模式的に示す縦断側面図である。
【図２】本考案にかかる表面基材の構造を模式的に示す要部の拡大斜視図である。
【図３】本考案にかかる表面基材の使用状態を模式的に示す縦断側面図である。
【符号の説明】
【００２８】１：合成樹脂フィルム
１Ａ：合成樹脂フィルムの裏面
１Ｂ：合成樹脂フィルムの表面
２：シリコーン樹脂層
２Ａ：シリコーン樹脂層の裏面
３：保護フィルム
４：軟質樹脂層
４Ａ：軟質樹脂層の表面
４Ｃ：凹凸
５：マット
５Ａ：マットの裏面
５Ｂ：マットの凹凸
【図１】
0003144841.tif 000003
【図２】
0003144841.tif 000004
【図３】
0003144841.tif 000005